(57)【要約】【課題】  ＰＲＭＬでは回路の様々なパラメータ調整が必要となるため、ディスクを挿入した後に最適な条件でデータの読み出しが可能になるまでにかかる時間が長くなる。本発明によりこれを短縮化する。【解決手段】  リードイン領域およびデータ領域を有する記録型光ディスクは、リードイン領域に記録領域管理データ、記録型光ディスクにデータ記録するための記録波形パラメータ、および記録波形パラメータを用いて記録したデータの再生信号波形の形状に合わせた再生処理用パラメータを示すデータを含み、記録領域管理データはデータ記録時に用いられた記録波形を特定することが可能なデータを含む。【選択図】  図１
2006344322.tif 000002
【特許請求の範囲】
【請求項１】
予め情報が記録されている記録済エリアと記録可能エリアとで構成されるリードイン領域と、データ領域とを備えた光ディスクの記録方法であって、
前記データ領域にデータを記録するときの記録パラメータを複数個前記リードイン領域の記録済エリアに記録し、
前記複数個の記録パラメータのそれぞれに対応する再生パラメータを前記リードイン領域の記録済エリアに記録することを特徴とする光ディスクの記録方法。
【請求項２】
予め情報が記録されている記録済エリアと記録可能エリアとで構成されるリードイン領域と、データ領域とを備えた光ディスクの記録方法であって、
前記リードイン領域の記録済エリアには、前記データ領域にデータを記録するときの記録パラメータを複数個と、前記複数個の記録パラメータのそれぞれに対応する再生パラメータとが記録されており、
前記データ領域にデータを記録し、
該データの記録に用いた記録パラメータを示す情報を該データに付加して前記データ領域に記録することを特徴とする光ディスク記録方法。
【請求項３】
予め情報が記録されている記録済エリアと記録可能エリアとで構成されるリードイン領域と、データ領域とを備えた光ディスクの記録方法であって、
前記リードイン領域の記録済エリアには、前記データ領域にデータを記録するときの記録パラメータを複数個と、前記複数個の記録パラメータのそれぞれに対応する再生パラメータとが記録されており、
前記データ領域にデータを記録し、
該データの記録に用いた記録パラメータを示す情報を前記リードイン領域の記録可能エリアに記録することを特徴とする光ディスク記録方法。
【請求項４】
予め情報が記録されている記録済エリアと記録可能エリアとで構成されるリードイン領域と、データ領域とを備えた光ディスクの記録方法であって、
前記リードイン領域の記録済エリアには、前記データ領域にデータを記録するときの記録パラメータを複数個と、前記複数個の記録パラメータのそれぞれに対応する再生パラメータとが記録されており、
前記データ領域にデータを記録し、
該データの記録に用いた記録パラメータを示す情報および該記録パラメータを用いて記録されたデータの開始アドレスと終了アドレスを前記リードイン領域の記録可能エリアに記録することを特徴とする光ディスク記録方法。
【請求項５】
光ディスクに溝形状を記録するスタンパと、該スタンパを加圧する圧力板を有する光ディスク記録装置であって、
予め情報が記録されている記録済エリアと記録可能エリアとで構成されるリードイン領域と、データ領域とを備えた光ディスクを記録する際、
前記データ領域にデータを記録するときの記録パラメータを複数個前記リードイン領域の記録済エリアに記録し、
前記複数個の記録パラメータのそれぞれに対応する再生パラメータを前記リードイン領域の記録済エリアに記録することを特徴とする光ディスク記録装置。
【請求項６】
光ディスクに情報を記録する光ピックアップと、該光ピックアップを制御する制御部を有する光ディスク記録装置であって、
予め情報が記録されている記録済エリアと記録可能エリアとで構成されるリードイン領域と、データ領域とを備え、前記リードイン領域の記録済エリアには、前記データ領域にデータを記録するときの記録パラメータを複数個と、前記複数個の記録パラメータのそれぞれに対応する再生パラメータとが記録されている光ディスクに情報を記録する際、
前記データ領域にデータを記録し、
該データの記録に用いた記録パラメータを示す情報を該データに付加して前記データ領域に記録することを特徴とする光ディスク記録装置。
【請求項７】
光ディスクに情報を記録する光ピックアップと、該光ピックアップを制御する制御部を有する光ディスク記録装置であって、
予め情報が記録されている記録済エリアと記録可能エリアとで構成されるリードイン領域と、データ領域とを備え、前記リードイン領域の記録済エリアには、前記データ領域にデータを記録するときの記録パラメータを複数個と、前記複数個の記録パラメータのそれぞれに対応する再生パラメータとが記録されている光ディスクに情報を記録する際、
前記データ領域にデータを記録し、
該データの記録に用いた記録パラメータを示す情報を前記リードイン領域の記録可能エリアに記録することを特徴とする光ディスク記録装置。
【請求項８】
光ディスクに情報を記録する光ピックアップと、該光ピックアップを制御する制御部を有する光ディスク記録装置であって、
予め情報が記録されている記録済エリアと記録可能エリアとで構成されるリードイン領域と、データ領域とを備え、前記リードイン領域の記録済エリアには、前記データ領域にデータを記録するときの記録パラメータを複数個と、前記複数個の記録パラメータのそれぞれに対応する再生パラメータとが記録されている光ディスクに情報を記録する際、
前記データ領域にデータを記録し、
該データの記録に用いた記録パラメータを示す情報および該記録パラメータを用いて記録されたデータの開始アドレスと終了アドレスを前記リードイン領域の記録可能エリアに記録することを特徴とする光ディスク記録装置。
【請求項９】
予め情報が記録されている記録済エリアと記録可能エリアとで構成されるリードイン領域とデータ領域を備えた光ディスクの再生方法であって、
前記リードイン領域の記録済エリアには、前記データ領域にデータを記録するときの記録パラメータを複数個と、前記複数個の記録パラメータのそれぞれに対応する再生パラメータが記録されており、
所定の記録パラメータを用いて記録されたデータを再生するときには当該記録パラメータに対応する再生パラメータを前記リードイン領域の記録済エリアから再生し、
該再生パラメータを用いて前記データ領域のデータを再生することを特徴とする光ディスク再生方法。
【請求項１０】
予め情報が記録されている記録済エリアと記録可能エリアとで構成されるリードイン領域とデータ領域を備えた光ディスクの再生方法であって、
前記リードイン領域の記録済エリアには、前記データ領域にデータを記録するときの記録パラメータを複数個と、前記複数個の記録パラメータのそれぞれに対応する再生パラメータが記録されており、前記データ領域には、前記データを記録するときに用いた記録パラメータを示す情報が該データに付加して記録されており、
前記データに付加して記録された記録パラメータを示す情報を再生し、
該記録パラメータを示す情報に対応する再生パラメータを前記リードイン領域の記録済エリアから再生し、
該再生パラメータを用いて前記データ領域のデータを再生することを特徴とする光ディスク再生方法。
【請求項１１】
予め情報が記録されている記録済エリアと記録可能エリアとで構成されるリードイン領域とデータ領域を備えた光ディスクの再生方法であって、
前記リードイン領域の記録済エリアには、前記データ領域にデータを記録するときの記録パラメータを複数個と、前記複数個の記録パラメータのそれぞれに対応する再生パラメータが記録されており、前記リードイン領域の記録可能エリアには、前記データを記録するときに用いた記録パラメータを示す情報が記録されており、
前記リードイン領域の記録部に記録された記録パラメータを示す情報を再生し、
該記録パラメータを示す情報に対応する再生パラメータを前記リードイン領域の記録済エリアから再生し、
該再生パラメータを用いて前記データ領域のデータを再生することを特徴とする光ディスク再生方法。
【請求項１２】
予め情報が記録されている記録済エリアと記録可能エリアとで構成されるリードイン領域とデータ領域を備えた光ディスクの再生方法であって、
前記リードイン領域の記録済エリアには、前記データ領域にデータを記録するときの記録パラメータを複数個と、前記複数個の記録パラメータのそれぞれに対応する再生パラメータが記録されており、前記リードイン領域の記録可能エリアには、前記データを記録するときに用いた記録パラメータを示す情報と、該記録パラメータを用いて記録されたデータの開始アドレスと終了アドレスが記録されており、
前記リードイン領域の記録可能エリアに記録された記録パラメータを示す情報を再生し、
該記録パラメータを示す情報に対応する再生パラメータを前記リードイン領域の記録済エリアから再生し、
前記開始アドレスから前記終了アドレスのデータを再生するときには、該アドレスにデータを記録するときに用いた記録パラメータに対応する再生パラメータを用いて前記データ領域のデータを再生することを特徴とする光ディスク再生方法。
【請求項１３】
光ディスクに情報を記録する光ピックアップと、
該光ピックアップを制御する制御部と、
前記光ピックアップからの再生信号を等化する等化回路と、
前記等化回路で等化された信号を複合するビタビ複合回路と、
前記光ピックアップからの信号に基づいて前記等化回路及び前記ビタビ複合回路を制御するシステム制御回路を有する光ディスク再生装置であって、
予め情報が記録されている記録済エリアと記録可能エリアとで構成されるリードイン領域と、データ領域とを備え、前記リードイン領域の記録済エリアには、前記データ領域にデータを記録するときの記録パラメータを複数個と、前記複数個の記録パラメータのそれぞれに対応する再生パラメータが記録されている光ディスクを再生する際、
所定の記録パラメータを用いて記録されたデータを再生するときには当該記録パラメータに対応する再生パラメータを前記リードイン領域の記録済エリアから再生し、
該再生パラメータを用いて前記データ領域のデータを再生することを特徴とする光ディスク再生装置。
【請求項１４】
光ディスクに情報を記録する光ピックアップと、
該光ピックアップを制御する制御部と、
前記光ピックアップからの再生信号を等化する等化回路と、
前記等化回路で等化された信号を複合するビタビ複合回路と、
前記光ピックアップからの信号に基づいて前記等化回路及び前記ビタビ複合回路を制御するシステム制御回路を有する光ディスク再生装置であって、
予め情報が記録されている記録済エリアと記録可能エリアとで構成されるリードイン領域とデータ領域を備え、前記リードイン領域の記録済エリアには、前記データ領域にデータを記録するときの記録パラメータを複数個と、前記複数個の記録パラメータのそれぞれに対応する再生パラメータが記録されており、前記データ領域には、前記データを記録するときに用いた記録パラメータを示す情報が該データに付加して記録されている光ディスクを再生する際、
前記データに付加して記録された記録パラメータを示す情報を再生し、
該記録パラメータを示す情報に対応する再生パラメータを前記リードイン領域の記録済エリアから再生し、
該再生パラメータを用いて前記データ領域のデータを再生することを特徴とする光ディスク再生装置。
【請求項１５】
光ディスクに情報を記録する光ピックアップと、
該光ピックアップを制御する制御部と、
前記光ピックアップからの再生信号を等化する等化回路と、
前記等化回路で等化された信号を複合するビタビ複合回路と、
前記光ピックアップからの信号に基づいて前記等化回路及び前記ビタビ複合回路を制御するシステム制御回路を有する光ディスク再生装置であって、
予め情報が記録されている記録済エリアと記録可能エリアとで構成されるリードイン領域とデータ領域を備えた、前記リードイン領域の記録済エリアには、前記データ領域にデータを記録するときの記録パラメータを複数個と、前記複数個の記録パラメータのそれぞれに対応する再生パラメータが記録されており、前記リードイン領域の記録可能エリアには、前記データを記録するときに用いた記録パラメータを示す情報が記録されている光ディスクを再生する際、
前記リードイン領域の記録部に記録された記録パラメータを示す情報を再生し、
該記録パラメータを示す情報に対応する再生パラメータを前記リードイン領域の記録済エリアから再生し、
該再生パラメータを用いて前記データ領域のデータを再生することを特徴とする光ディスク再生装置。
【請求項１６】
光ディスクに情報を記録する光ピックアップと、
該光ピックアップを制御する制御部と、
前記光ピックアップからの再生信号を等化する等化回路と、
前記等化回路で等化された信号を複合するビタビ複合回路と、
前記光ピックアップからの信号に基づいて前記等化回路及び前記ビタビ複合回路を制御するシステム制御回路を有する光ディスク再生装置であって、
予め情報が記録されている記録済エリアと記録可能エリアとで構成されるリードイン領域とデータ領域を備えた、前記リードイン領域の記録済エリアには、前記データ領域にデータを記録するときの記録パラメータを複数個と、前記複数個の記録パラメータのそれぞれに対応する再生パラメータが記録されており、前記リードイン領域の記録可能エリアには、前記データを記録するときに用いた記録パラメータを示す情報と、該記録パラメータを用いて記録されたデータの開始アドレスと終了アドレスが記録されている光ディスクを再生する際、
前記リードイン領域の記録可能エリアに記録された記録パラメータを示す情報を再生し、
該記録パラメータを示す情報に対応する再生パラメータを前記リードイン領域の記録済エリアから再生し、
前記開始アドレスから前記終了アドレスのデータを再生するときには、該アドレスにデータを記録するときに用いた記録パラメータに対応する再生パラメータを用いて前記データ領域のデータを再生することを特徴とする光ディスク再生装置。
【請求項１７】
予め情報が記録されている記録済エリアと記録可能エリアとで構成されるリードイン領域と、データ領域とを備えた光ディスクであって、
前記データ領域にデータを記録するときの記録パラメータを複数個と、該複数個の記録パラメータのそれぞれに対応する再生パラメータを前記リードイン領域の記録済エリアに有することを特徴とする光ディスク。
【請求項１８】
予め情報が記録されている記録済エリアと記録可能エリアとで構成されるリードイン領域と、データ領域とを備えた光ディスクであって、
前記データ領域にデータを記録するときの記録パラメータを複数個と、該複数個の記録パラメータのそれぞれに対応する再生パラメータを前記リードイン領域の記録済エリアに有し、
前記データの記録に用いた記録パラメータを示す情報を前記データに付加して前記データ領域有することを特徴とする光ディスク。
【請求項１９】
予め情報が記録されている記録済エリアと記録可能エリアとで構成されるリードイン領域と、データ領域とを備えた光ディスクであって、
前記データ領域にデータを記録するときの記録パラメータを複数個と、該複数個の記録パラメータのそれぞれに対応する再生パラメータを前記リードイン領域の記録済エリアに有し、
該データの記録に用いた記録パラメータを示す情報を前記リードイン領域の記録可能エリアに有することを特徴とする光ディスク。
【請求項２０】
予め情報が記録されている記録済エリアと記録可能エリアとで構成されるリードイン領域と、データ領域とを備えた光ディスクであって、
前記データ領域にデータを記録するときの記録パラメータを複数個と、該複数個の記録パラメータのそれぞれに対応する再生パラメータを前記リードイン領域の記録済エリアに有し、
該データの記録に用いた記録パラメータを示す情報および該記録パラメータを用いて記録されたデータの開始アドレスと終了アドレスを前記リードイン領域の記録可能エリアに有することを特徴とする光ディスク。
【請求項２１】
リードイン領域と、データ領域とを備えた光ディスクの記録方法であって、
前記データ領域にデータを記録し、
該データの記録に用いた記録パラメータに対応する再生パラメータとして、等化回路のタップ係数及びビタビ複合回路の基準レベル値を該データに付加して前記データ領域に記録することを特徴とする光ディスク記録方法。
【請求項２２】
光ディスクに情報を記録する光ピックアップと、該光ピックアップを制御する制御部を有する光ディスク記録装置であって、
リードイン領域と、データ領域とを備えた光ディスクに情報を記録する際、
前記データ領域にデータを記録し、
該データの記録に用いた記録パラメータに対応する再生パラメータとして、等化回路のタップ係数及びビタビ複合回路の基準レベル値を該データに付加して前記データ領域に記録することを特徴とする光ディスク記録装置。
【請求項２３】
リードイン領域と、データ領域とを備えた光ディスクの再生方法であって、
前記データ領域には、前記データを記録するときに用いた記録パラメータに対応する再生パラメータとして、等化回路のタップ係数及びビタビ複合回路の基準レベル値が該データに付加して記録されており、
前記データに付加して記録された再生パラメータを示す情報を再生し、
該再生パラメータを用いて前記データ領域のデータを再生することを特徴とする光ディスク再生方法。
【請求項２４】
光ディスクに情報を記録する光ピックアップと、
該光ピックアップを制御する制御部と、
前記光ピックアップからの再生信号を等化する等化回路と、
前記等化回路で等化された信号を複合するビタビ複合回路と、
前記光ピックアップからの信号に基づいて前記等化回路及び前記ビタビ複合回路を制御するシステム制御回路を有する光ディスク再生装置であって、
リードイン領域とデータ領域を備え、前記データ領域には、前記データを記録するときに用いた記録パラメータに対応する再生パラメータとして、等化回路のタップ係数及びビタビ複合回路の基準レベル値が該データに付加して記録されている光ディスクを再生する際、
前記データに付加して記録された再生パラメータを再生し、
該再生パラメータを用いて前記データ領域のデータを再生することを特徴とする光ディスク再生装置。
【請求項２５】
リードイン領域と、データ領域とを備えた光ディスクであって、
前記データ領域にデータを記録するときに用いた記録パラメータに対応する再生パラメータとして、等化回路のタップ係数及びビタビ複合回路の基準レベル値を前記データに付加して前記データ領域に有することを特徴とする光ディスク。
【請求項２６】
予め情報がバーコードで記録されているBCAエリアと、予め情報が矩形波状の溝で記録されている記録済エリアとウォブル状の溝を有する記録可能エリアとで構成されるリードイン領域と、データ領域とを備えた光ディスクの記録方法であって、
前記データ領域にデータを記録するときの記録パラメータを前記バーコード又は矩形波状の溝又はウォブル状の溝に記録し、
前記記録パラメータに対応する再生パラメータを前記バーコード又は矩形波状の溝又はウォブル状の溝に記録することを特徴とする光ディスクの記録方法。
【請求項２７】
光ディスクに情報を記録する光ピックアップと、
該光ピックアップを制御する制御部と、
前記光ピックアップからの再生信号を等化する等化回路と、
前記等化回路で等化された信号を複合するビタビ複合回路と、
前記光ピックアップからの信号に基づいて前記等化回路及び前記ビタビ複合回路を制御するシステム制御回路を有する光ディスク再生装置であって、
予め情報がバーコードで記録されているBCAエリアと、予め情報が矩形波状の溝で記録されている記録済エリアとウォブル状の溝を有する記録可能エリアとで構成されるリードイン領域と、データ領域とを備え、前記バーコード又は矩形波状の溝又はウォブル状の溝には、前記データ領域にデータを記録するときの記録パラメータと、前記記録パラメータに対応する再生パラメータが記録されている光ディスクを再生する際、
所定の記録パラメータを用いて記録されたデータを再生するときには当該記録パラメータに対応する再生パラメータを前記バーコード又は矩形波状の溝又はウォブル状の溝から再生し、
該再生パラメータを用いて前記データ領域のデータを再生することを特徴とする光ディスク再生装置。
【請求項２８】
予め情報がバーコードで記録されているBCAエリアと、予め情報が矩形波状の溝で記録されている記録済エリアとウォブル状の溝を有する記録可能エリアとで構成されるリードイン領域と、データ領域とを備えた光ディスクであって、
前記データ領域にデータを記録するときの記録パラメータと、該記録パラメータに対応する再生パラメータを前記バーコード又は矩形波状の溝又はウォブル状の溝に有することを特徴とする光ディスク。
【請求項２９】
請求項１〜４又は２６のいずれか一項に記載の光ディスク記録方法において、
前記再生パラメータは等化回路のタップ係数及びビタビ複合回路の基準レベル値であることを特徴とする光ディスク記録方法。
【請求項３０】
請求項５〜８のいずれか一項に記載の光ディスク記録装置において、
前記再生パラメータは等化回路のタップ係数及びビタビ複合回路の基準レベル値であることを特徴とする光ディスク記録装置。
【請求項３１】
請求項９〜１２のいずれか一項に記載の光ディスク再生方法において、
前記再生パラメータは等化回路のタップ係数及びビタビ複合回路の基準レベル値であることを特徴とする光ディスク再生方法。
【請求項３２】
請求項１３〜１６又は２７のいずれか一項に記載の光ディスク再生装置において、
前記再生パラメータは等化回路のタップ係数及びビタビ複合回路の基準レベル値であることを特徴とする光ディスク再生装置。
【請求項３３】
請求項１７〜２０又は２８のいずれか一項に記載の光ディスクにおいて、
前記再生パラメータは等化回路のタップ係数及びビタビ複合回路の基準レベル値であることを特徴とする光ディスク。
【発明の詳細な説明】
【技術分野】
【０００１】
本発明は光ディスク、および、光ディスク装置に関するものである。
【背景技術】
【０００２】
「光ディスクとしては、従来からcompact disc（ＣＤ）やdigital versatile disc（ＤＶＤ）などが広く用いられてきている。このような従来広く用いられてきた光ディスクにおいては、再生信号を２値等化して、適当なスライスでピットの有無を判定することで、データの再生を行っている。従って、最短ピットにおける再生信号の振幅がある程度無いと、十分な再生データの信頼性が確保できなかった。」そして、「近年、更なる光ディスク記録の高密度化を目指す技術として、ＰＲＭＬ（Ｐａｒｔｉａｌ−Ｒｅｓｐｏｎｓｅ  Ｍａｘｉｍｕｍ−Ｌｉｋｅｌｉｈｏｏｄ）と呼ばれる再生信号検出方法が導入され始めた。ＰＲＭＬは、再生信号を単純な２値信号へ等化するのではなく、パーシャルレスポンス等化と呼ばれる多値の信号への等化を行うことを特徴とする。ＰＲＭＬを用いた場合、従来技術より、小さなピット長まで良好な特性が得られることが分かる。」と特許文献１に記載されている。
【０００３】
このＰＲＭＬ技術については非特許文献１、非特許文献２に詳細な説明がある。また、このＰＲＭＬの詳細な説明や具体的な回路構成に関する記載が特許文献２にある。
【０００４】
【特許文献１】特開２００４−３２７０１３号公報（特に[００１３]）
【特許文献２】特開２００４−１７８６２７号公報（特に[００１１]−[００１７]、[００２１]−[００２２]）
【非特許文献１】小倉、平塚他：ＰＲ（３，４，４，３）ＭＬを用いた高密度光ディスクリードチャネル信号処理方式およびシステムＬＳＩ化について，映像情報メディア学会技術報告ＭＭＳ２０００−７３，ｐｐ．２５−３１、２０００年
【非特許文献２】新井清：ＰＲＭＬ信号処理、トリケップス、ｐｐ．１７７−２１６、１９９６年
【発明の開示】
【発明が解決しようとする課題】
【０００５】
従来のスライスによる２値化方式に比べ、ＰＲＭＬ方式では回路に設定しなければならないパラメータが多いため、光ディスク装着後に行うパラメータの調整には長い時間がかかる。すなわち、ディスクを挿入した後に読み出しが可能になるまでにかかる時間が２値化方式に比べ長くなる。
【０００６】
本発明は、ＰＲＭＬ方式を用いたときに再生用の回路の設定に要する時間を短縮し、光ディスクを装着した後に読み出しが可能になるまでにかかる時間を短縮することを目的とする。
【課題を解決するための手段】
【０００７】
本発明では以下の（１）〜（５）により、上述の課題を解決する。
（１）予め情報が記録されている記録済エリアと記録可能エリアとで構成されるリードイン領域と、データ領域とを備えた光ディスクの記録方法であって、前記データ領域にデータを記録するときの記録パラメータを複数個前記リードイン領域の記録済エリアに記録し、前記複数個の記録パラメータのそれぞれに対応する再生パラメータを前記リードイン領域の記録済エリアに記録することを特徴とする光ディスクの記録方法。
（２）光ディスクに溝形状を記録するスタンパと、該スタンパを加圧する圧力板を有する光ディスク記録装置であって、予め情報が記録されている記録済エリアと記録可能エリアとで構成されるリードイン領域と、データ領域とを備えた光ディスクを記録する際、前記データ領域にデータを記録するときの記録パラメータを複数個前記リードイン領域の記録済エリアに記録し、前記複数個の記録パラメータのそれぞれに対応する再生パラメータを前記リードイン領域の記録済エリアに記録することを特徴とする光ディスク記録装置。
（３）予め情報が記録されている記録済エリアと記録可能エリアとで構成されるリードイン領域とデータ領域を備えた光ディスクの再生方法であって、前記リードイン領域の記録済エリアには、前記データ領域にデータを記録するときの記録パラメータを複数個と、前記複数個の記録パラメータのそれぞれに対応する再生パラメータが記録されており、所定の記録パラメータを用いて記録されたデータを再生するときには当該記録パラメータに対応する再生パラメータを前記リードイン領域の記録済エリアから再生し、該再生パラメータを用いて前記データ領域のデータを再生することを特徴とする光ディスク再生方法。
（４）光ディスクに情報を記録する光ピックアップと、該光ピックアップを制御する制御部と、前記光ピックアップからの再生信号を等化する等化回路と、前記等化回路で等化された信号を複合するビタビ複合回路と、前記光ピックアップからの信号に基づいて前記等化回路及び前記ビタビ複合回路を制御するシステム制御回路を有する光ディスク再生装置であって、予め情報が記録されている記録済エリアと記録可能エリアとで構成されるリードイン領域と、データ領域とを備え、前記リードイン領域の記録済エリアには、前記データ領域にデータを記録するときの記録パラメータを複数個と、前記複数個の記録パラメータのそれぞれに対応する再生パラメータが記録されている光ディスクを再生する際、所定の記録パラメータを用いて記録されたデータを再生するときには当該記録パラメータに対応する再生パラメータを前記リードイン領域の記録済エリアから再生し、該再生パラメータを用いて前記データ領域のデータを再生することを特徴とする光ディスク再生装置。
（５）予め情報が記録されている記録済エリアと記録可能エリアとで構成されるリードイン領域と、データ領域とを備えた光ディスクであって、前記データ領域にデータを記録するときの記録パラメータを複数個と、該複数個の記録パラメータのそれぞれに対応する再生パラメータを前記リードイン領域の記録済エリアに有することを特徴とする光ディスク。
【発明の効果】
【０００８】
本発明により、光ディスクの再生データの信頼性を高めることができる。
【発明を実施するための最良の形態】
【０００９】
本発明の実施形態について図を用いて説明する。
【００１０】
図２は本発明の光ディスク３０１のアドレス空間とエリアの関係を示す図である。本図において２００はＢＣＡエリア、２０１はリードイン領域、２０２はデータ領域、２０３はリードアウト領域である。
【００１１】
ＢＣＡエリア２００、リードイン領域２０１は光ディスク内周に位置し、主に記録領域管理情報、欠陥管理情報、ライトストラテジを含むディスク制御情報が記録されている。データ領域２０２は論理アドレスが対応付けられており、ホストからのコマンドに基づいてデータの記録または再生が行なわれる。リードアウト領域２０３は光ディスク外周に位置し、リードイン領域のデータの一部のコピーなどが記録される。また、本図ではＢＣＡエリア、リードイン領域をディスクの内周に配置し、リードアウト領域をディスクの外周に配置した光ディスクを用いた説明を行ったが、本発明はこれに限られることはない。
【００１２】
図３は本発明の光ディスク装置の構成を示した図である。本図において３０１は光ディスク、３０２はピックアップ、３０３はアナログ−デジタル変換回路（Ａ／Ｄ）、３０４は等化回路、３０５はビタビ復号回路、３０６はサーボ回路、３０７はシステム制御回路、３０８はレーザドライバ（ＬＤ）、３０９はウォブルデータ検出回路、３１０はＢＣＡ二値化回路、３１１は復調回路である。
【００１３】
光ディスクの再生時には、ピックアップ３０２は、光ディスク３０１にレーザ光を照射し、光ディスクに記録されたデータを、光ディスクからの反射光量あるいは偏向を検出し再生する。このとき、サーボ回路３０６はピックアップ３０２をフォーカス方向とトラック方向に正確に追従させる。光ピックアップ３０２により読み出された再生信号は、Ａ／Ｄ３０３によりデジタル化され、等化回路３０４により等化された後、ビタビ復号回路３０５にて２値化される。
【００１４】
システム制御回路３０７は、例えば、サーボ回路３０６を介して、ディスクの種類などの情報を収集し、どの再生チャネルあるいは変調符号を用いたディスクであるかを検出する。
【００１５】
システム制御回路３０７は、各媒体に対応したチャネル特性を得るように、等化回路３０４に適当なタップ係数を設定する。また、システム制御回路３０７は、ビタビ復号回路３０５に、等化回路３０４に設定したチャネル特性に対応する基準レベルと、チャネル選択信号ＳＥＬを設定する。ビタビ復号回路３０５はこれら基準レベル値とチャネル選択信号ＳＥＬを受けて、回路系の接続状態を変更し、ビタビ復号する。このように、媒体に応じてチャネル特性を変えることにより、最適な状態で情報を再生することが可能となる。
【００１６】
また、ＢＣＡ二値化回路３１０で検出したＢＣＡエリア２００の情報である復号データや、ウォブルデータ検出回路３０９で検出した情報であるリードイン領域２０１の復号データをシステム制御回路３０７にフィードバックし、等化回路３０４やビタビ複合回路３０５を制御してもよい。
【００１７】
図４を用いて等化回路３０４の構成を詳細に説明する。本図において、４０１は通常レジスタから構成される遅延回路、４０２は掛け算回路、４０３は加算回路である。Ａ／Ｄ３０３から出力された多値レベルのサンプルデータは遅延回路４０１に逐次シフト入力されると同時にＡ／Ｄ３０３からの出力信号および遅延回路４０１からの各々の出力に係数を掛けた後、足し合わされ等化回路外部へと出力される。このときの各々の出力に掛け合わせられるタップ係数は再生波形のサンプルデータをビタビ復号回路の基準値に合わせるための数値であり、再生信号波形に含まれる歪を修正するものである。従って、本係数は光ディスク上に実際形成されるピットやミラー、マークやスペースの形状や記録溝の幅、深さにも影響するため、システム制御回路３０７は各光ディスクに応じた適切な値を設定する必要がある。
【００１８】
次に図５を用いてビタビ復号回路３０５の構成を詳細に説明する。本図において５０１はブランチメトリック演算回路、５０２はパスメトリック演算回路、５０３はパスメモリである。ブランチメトリック演算回路５０１は等価回路３０４からの再生信号波形のサンプルデータとシステム制御回路３０７により設定される基準値との二乗誤差を計算し、ブランチメトリックを出力する。パスメトリック演算回路５０２はブランチメトリックをパターンごとに累積加算してパスメトリックを得る。パスメモリは複数のデータ系列を記憶しており、パスメトリックが最小となるデータ系列、つまり最も確からしいパスを選択し出力する。
【００１９】
次に図６を用いてブランチメトリック演算回路５０１を詳細に説明する。本図において、６０１は引き算回路、６０２は掛け算（二乗）回路、４０１は遅延回路である。前述したように、ブランチメトリック演算回路５０１では再生信号波形のサンプルデータからシステム制御回路３０７により設定される基準値を引き、その差を二乗誤差計算してブランチメトリックとして出力する。つまり、ブランチメトリック演算回路５０１では、システム制御回路３０７により設定される基準値は図４におけるタップ係数同様に再生信号波形に含まれる歪を修正するために用いられる。
【００２０】
記録型光ディスクへの記録時には、変調処理された記録データはレーザドライバにより予めシステム制御回路が設定した記録パラメータ（ライトストラテジ）の値に応じてピックアップからレーザ光が照射され、光ディスク３０１に情報が記録される。
【００２１】
図７は記録データとＬＤ３０８から発光される記録波形および記録パラメータの関係を示した図である。記録パラメータにより規定される記録波形はライトストラテジとも呼ばれる。図７ａは記録データを示し、図７ｂはＬＤ発光波形を示す。本図では５Ｔｗ（Ｔｗはチャネルビット）の長さを持つマークを、先頭パルス、中間パルス、最終パルスの３種のパルスで記録する発光波形を示しており、本発光波形の発光強度を規定するためのパラメータとして、記録パワーＰｗ、消去パワーＰｅ、ボトムパワーＰｂｗ、冷却パワーＰｃがある。また、発光の時間を規定するパラメータとして、先頭パルスの基準時間からのずれを示すｄＴｔｏｐ、中間パルスの基準時間からのずれを示すｄＴｍｐ、最終パルスの基準時間からのずれを示すｄＴｌｐ、最終パルスの長さを示すＴｌｐ、冷却パルスの長さを示すＴｅのパラメータが使用される。このように、各パルスは原則的に「発光パワー」と「基準位置からのずれ」と「パルスの長さ」とで定義される。図７ｂでは中間パルスは基準値からのずれは０であるとし、冷却パルスは最終パルスの立下りから開始されるとしているが、これに限られるものではない。また、図７で用いた記録波形はマルチパルスのライトストラテジと呼ばれるものであるが、記録波形としてはボトムパワーＰｂｗを持たないノンマルチパルスのライトストラテジなど複数種類のライトストラテジが存在する。通常、一枚の光ディスクでも記録速度に応じて複数種のライトストラテジが定義、使用されている。
【００２２】
次に本実施例における光ディスクについて、図１を用いて説明する。本図において、上図は記録型光ディスクを説明するものであり、下図はＲＯＭディスクを説明するものである。
【００２３】
記録型光ディスクは、識別情報等が記録されているＢＣＡエリア２００、リードイン領域２０１、データ領域２０２、リードアウト領域２０３で構成される。リードイン領域２０１はさらに、予め情報が記録されておりユーザデータ追記不可の記録済エリア１０１と、ユーザデータ追記可能な記録可能エリア１０２で構成されている。つまり、ＢＣＡエリア２００、記録済エリア１０１にはユーザデータを追記することは不可能であり、リードイン領域の中の記録可能エリア１０２、データ領域２０２、リードアウト領域２０３にはユーザデータを追記することが可能である。ここで、BCAエリア２００の情報は例えばYAGレーザ等により形成されるバーコードにより記録されているものとする。また、記録済エリア１０１の情報は例えば矩形波状の溝により記録されているものとする。矩形波状の溝とはディスク製造時にスタンパ等により形成される溝形状のことであり、例えば高周波モジュールにより形成される矩形波状の凹凸形状が挙げられる。また、記録可能エリア１００のトラック側面はウォブル状の溝を有しており、アドレス情報等が記録されている。
【００２４】
一方、ＲＯＭディスクは、ＢＣＡエリア２００、リードイン領域２０１、データ領域２０２、リードアウト領域２０３で構成されるが、いずれのエリア又は領域にもユーザデータは追記不可であるので、リードイン領域２０１、データ領域２０２、リードアウト領域２０３は全て記録済エリア１００である。
【００２５】
いずれのディスクにおいても、データ領域２０２には高密度でデータが記録されており、記録済エリア１０１には、第１の記録条件に対する記録条件定義エリア１０３、第２の記録条件に対する記録条件定義エリア１０４が予め記録されている。各記録条件定義エリアにはそれぞれの記録条件に対応する記録条件エリア番号、記録条件種類、記録速度、記録パラメータ、再生パラメータの各情報が記録されている。ここでは、２つの記録条件定義エリアが存在するものとして説明するが、記録条件定義エリアの数はこれに限られるものではなく、記録条件の種類に応じて適時増やすことができることはいうまでも無い。図１では記録条件エリア番号として連続する整数を付しているが、各々の記録条件エリア番号を識別できるものであればこれに限られない。記録条件種類はその記録条件がマルチパルスのライトストラテジであるのかノンマルチのライトストラテジであるのかを示す。記録速度はデータの記録に用いる記録速度を示しており、記録パラメータはそれぞれのマーク長に設定される発光パワー、基準位置からのずれ、パルスの長さを表す。また、再生パラメータは対応する記録パラメータを用いて記録されたデータ領域を再生するときに再生処理回路に設定するパラメータを現しており、等価回路タップ係数推奨値およびビタビ復号回路基準レベル値の推奨値が記録される。タップ係数の推奨値とは、光ディスク再生時にビタビ復号回路３０５で行う二値化処理でのエラー発生頻度を低く抑えることができる等価回路３０４内の積算回路４０２で用いる値であり、基準レベル値の推奨値とは、ビタビ復号回路３０５のブランチメトリック演算回路５０１内で用いられる値である。光ディスク装置はディスク挿入時等にこれらの値をディスクから読み出し、各再生信号波形の処理回路の再生パラメータとしてこれらの値を設定することで、データ領域２０２に高密度で記録されたデータを迅速に良好なデータ再生処理をすることができる。
【００２６】
また、図１に記載の光ディスクを製造する際には例えば図１０に示すような装置を用いる。図１０において、１は矩形波状やウォブル状の溝形状が刻まれているスタンパ、２は金型、３は圧力板、４は樹脂、５は樹脂滴下器、６は制御部である。まず、図１０（ａ）のように金型２の上にスタンパ１を配置する。次に制御部６は樹脂滴下器５を制御し、図１０（ｂ）のように圧力板３とスタンパ１の間に樹脂４を滴下する。さらに制御部６は圧力板３を制御し、図１０（ｃ）に示すように加圧し、所定時間後に加圧を停止する。最後に図１０（ｄ）のように基板を取り出すことにより光ディスク製造は終了する。図１０は矩形波状やウォブル状の溝形状を光ディスクに形成する一例を示したものであり、これに限られるものではない。
【００２７】
図８を用いて本発明の記録型光ディスクの別の実施例を説明する。なお、図８では図１と同等のものは同一の符号を付し説明を省略する。
【００２８】
データ領域２０２には、本発明の光ディスク装置によってユーザデータ８０２が記録され、ユーザデータ８０２が記録されるときにはランイン８０１、ランアウト８０３といった冗長データが付加して記録される。ランイン８０１にはそのユーザデータ８０２を記録するときに用いた記録条件に対応する記録条件エリア番号が記録される。データ領域２０２には複数のユーザデータ８０２を記録することができ、各ユーザデータ８０２は１種の記録条件を用いて記録されるが、複数のユーザデータ８０２を記録するときには同じ記録条件を用いても良いし、異なる記録条件を用いても良い。
【００２９】
ここで、光ディスクの再生処理について簡単に説明する。同一の光ディスクに同一のマークを記録するときであっても異なる記録速度や記録波形の種類を用いたときは記録されるマークの物理的形状が異なってくる。すなわち、データ記録時に用いられた記録条件に対応する再生パラメータを再生処理回路に設定し再生処理すると好適な再生処理を実現できる。
【００３０】
本発明の光ディスクのリードイン領域１０１には、記録条件に対応する再生パラメータが記録されているので、光ディスク装置はランイン８０１から得た記録条件エリア番号に対応する再生パラメータをリードイン領域１０１の記録条件定義エリアから知ることができる。従って、最適な再生パラメータをすばやく再生処理回路に設定することができ、速やかに好適な再生処理を実施できる。また、ランイン８０１に記録条件エリア番号のみ記録することにより、データ領域を有効に利用することができる。なお、光ディスク装置はランイン８０１の記録条件エリア番号を再生した後に記録条件定義エリアから対応する再生パラメータを読み出す構成としても良いし、ディスク装着後に全ての記録条件定義エリアを読み出し各再生パラメータをメモリなどに記憶しておき、ランイン８０１の記録条件エリア番号を再生した後にメモリなどから対応する再生パラメータを読み出す構成としても良い。これにより、再生パラメータの最適値を学習処理により求めることなく、迅速に適切な再生パラメータを知ることができ、良好なデータ再生処理が可能となる。
【００３１】
なお、以上の実施例ではランイン８０１に記録条件エリア番号が記録される例を示したが、ランイン８０１にユーザデータ８０２を記録するときに使用した記録条件に対応した再生パラメータを、直接記録しても良い。この場合には、リードイン１０１の記録条件定義エリアから再生パラメータを読み出す必要がなく、ランイン８０１から再生パラメータを読み出して迅速に適切な再生パラメータを知ることができ、良好なデータ再生処理が可能となるとともに、記録済エリア１０１に記録条件定義エリアを記録することも不要となるからである。また、ランイン８０１に記録条件エリア番号や再生パラメータを記録する際、同じ情報を複数記録しておくこととしてもよいし、ランイン８０１には低密度で情報を記録することとしてもよい。これらはランイン８０１の情報を正確に読取るのに有効だからである。
【００３２】
図９は本発明の記録型光ディスクの別の実施例を示したものである。記録済エリアには図１、図８の記録済エリアと同様に複数の記録条件定義エリアが存在しているものとし、図１と同等のものは同一の符号を付し説明を省略する。また、同図においてデータ領域２０２内の黒色部分Ｓ１〜Ｅ１、Ｓ２〜Ｅ２、ＳＮ〜ＥＮはそれぞれ、本発明の光ディスク装置により記録された記録領域１、記録領域２、記録領域Ｎを示し、９０１は本発明の光ディスク装置によりリードイン領域の記録可能エリア１０２に記録された記録領域管理データを示す。
【００３３】
記録領域管理データ９０１は、記録領域番号、記録開始アドレス、記録終了アドレス、使用記録条件を１組としてリストで管理する。具体的には、記録領域１に対応する記録領域番号１、および、それに対応する記録開始アドレスＳ１、記録終了アドレスＥ１、使用された記録条件１であることを示すリストが記録されている。また、記録領域２、記録領域Ｎについても同様のリストが記録されている。
【００３４】
本発明の光ディスク装置は、記録領域管理データから特定の記録領域の記録に用いられた記録条件を知ることができ、記録済エリア１０１の記録条件定義エリアの再生パラメータを参照することで適切な再生パラメータを設定することができる。これにより、いずれの記録領域に対しても良好な再生処理を行うことが可能になる。
【００３５】
従って、本発明の光ディスク装置はディスク挿入時等に記録条件と共にこれらの再生信号波形処理回路の再生パラメータをディスクから読み出し、リードイン領域の記録可能エリア１０２に記録されている記録領域管理データ９０１を再生することで各記録可能エリアの再生信号波形処理の再生パラメータを求められる。これにより、再生パラメータの最適値を学習処理により求めることなく、迅速に適切な再生パラメータを知ることができ、良好なデータ再生処理が可能となる。
【００３６】
なお、記録管理領域データ９０１には、それぞれの記録領域を再生するのに適した再生パラメータを直接記録しても良い。この場合には、記録管理領域データ９０１から再生パラメータを読み出して迅速に適切な再生パラメータを知ることができ、良好なデータ再生処理が可能となるとともに、記録済エリア１０１に記録条件定義エリアを記録することも不要となるからである。また、リードイン領域の記録可能エリア１０２に記録領域管理データや再生パラメータを記録する際、同じ情報を複数記録しておくこととしてもよいし、低密度で情報を記録することとしてもよい。これらはリードイン領域の記録可能エリア１０２の情報を正確に読取るのに有効だからである。
【００３７】
図１、図８、図９で記録条件定義エリアを記録済エリア１０１に配置することにより、迅速に良好なデータ再生処理をすることができることを説明したが、これは記録済エリア１０１の矩形波状の溝の情報を再生するためにはＰＲＭＬ技術のような複雑な再生技術は不要であり、容易に再生できるからである。しかし、本発明はこれに限られず、記録条件定義エリアの情報を例えばＢＣＡエリア２００に記録してもよく、又は、記録可能エリア１００のウォブル状の溝に記録してもよい。これは、ＢＣＡエリアや、ウォブル状の溝の情報を再生する場合も、上述の矩形波状の溝の場合と同様にＰＲＭＬ技術のような複雑な再生技術は不要であり、容易に再生できるからである。
【００３８】
また、記録条件定義エリアの情報をBCAエリア２００や記録済エリア１０１の矩形波状の溝、記録可能エリア１００のウォブル状の溝に記録する際には複数個ではなく、１種類だけ記録することとしてもよい。
【００３９】
以上説明したように、本発明の技術を用いることで再生信号波形回路の様々なパラメータ調整に必要となるセットアップ時間を短縮し、記録時に使用した記録波形（ライトストラテジ）や記録速度、記録密度の変化に対応することが可能となる。
【図面の簡単な説明】
【００４０】
【図１】光ディスクのリードイン領域に記録されたデータの種類を示した図である。
【図２】光ディスクのアドレス空間とエリアの関係を示す図である。
【図３】光ディスク装置の構成を示した図である。
【図４】等化回路の構成を示した図である。
【図５】ビタビ復号回路の構成を示した図である
【図６】ブランチメトリック演算回路の構成を示した図である。
【図７】記録波形と記録波形パラメータの関係を示した図である。
【図８】記録型光ディスクのリードイン領域に予め記録されたデータの種類を示した図である。
【図９】記録型光ディスクのリードイン領域に記録されるデータの種類を示した図である。
【図１０】光ディスクを製造する装置を示した図である。
【符号の説明】
【００４１】
２０１  リードイン領域、２０２  データ領域、２０３  リードアウトエリア、３０１  光ディスク、３０２  ピックアップ、３０３  アナログ−デジタル変換回路（Ａ／Ｄ）、３０４  等化回路、３０５  ビタビ復号回路、３０６  サーボ回路、３０７  システム制御回路、３０８  レーザドライバ（ＬＤ）
【図１】
2006344322.tif 000003
【図２】
2006344322.tif 000004
【図３】
2006344322.tif 000005
【図４】
2006344322.tif 000006
【図５】
2006344322.tif 000007
【図６】
2006344322.tif 000008
【図７】
2006344322.tif 000009
【図８】
2006344322.tif 000010
【図９】
2006344322.tif 000011
【図１０】
2006344322.tif 000012